(57)【要約】【課題】小さなサイズの電子タグを用いても、各タグのデータを確実に読み取ることができるファイリング用具及び管理システムを提供する。【解決手段】背表紙部(34)、及び背表紙部に連なる表紙部(36)を有する表紙(32)と、表紙部の内面に設置されており、外部通信手段(10)からの電波で非接触通信を行う電子タグ(40)と、背表紙部の内面に設置されており、電波を電子タグに向けて指向する反射板(50)とを具備する。つまり、ファイリング用具(30)自体が反射板を有し、この反射板が外部通信手段からの電波をタグに向けて改めて指向させる。【選択図】図７
2009230308.tif 000002
【特許請求の範囲】
【請求項１】
少なくとも背表紙部、及び該背表紙部に連なる表紙部を有する表紙と、
該表紙部の内面に設置されており、外部通信手段からの電波で非接触通信を行う電子タグと、
前記背表紙部の内面に近接して設置されており、前記電波を前記電子タグに向けて指向する反射板と
を具備することを特徴とするファイリング用具。
【請求項２】
請求項１に記載のファイリング用具であって、
前記反射板は、前記背表紙部の内面に対し、前記電波を前記電子タグに指向させるための所定の角度を有して該背表紙部に設置されていることを特徴とするファイリング用具。
【請求項３】
請求項１又は２に記載のファイリング用具であって、
前記電子タグは、
前記複数のファイリング用具に１つずつ設置されており、
該ファイリング用具を前記表紙の閉じた状態で前記背表紙部の背幅方向に並べた際に互いに完全に重ならない位置にて前記表紙部に設置されていることを特徴とするファイリング用具。
【請求項４】
請求項１から３のいずれか一項に記載のファイリング用具を用いた管理システムであって、
前記外部通信手段は、前記電波を送受信するアンテナを有しており、
該アンテナは、前記電子タグを設置した前記表紙部に対峙して配置されていることを特徴とする管理システム。
【請求項５】
請求項４に記載の管理システムであって、
該システムは、前記外部通信手段からの電波を前記表紙部に向けて反射する反射器を有しており、
該反射器は、前記電子タグを設置しない前記表紙部に対峙して配置されていることを特徴とする管理システム。
【請求項６】
請求項５に記載の管理システムであって、
前記反射器は、凹凸面部を有していることを特徴とする管理システム。
【請求項７】
請求項４から６のいずれか一項に記載の管理システムであって、
前記電波は、極超短波の周波数帯であることを特徴とする管理システム。
【発明の詳細な説明】
【技術分野】
【０００１】
本発明は、電子タグを取り付けたファイリング用具、及び該用具の管理システムに関するものである。
【背景技術】
【０００２】
一般に、物品を管理するシステムでは、バーコードが各物品に取り付けており、このコードをバーコード用のリーダで読み取ってデータを得る手法が知られている。一方、これら各コードを当該リーダで１つずつ読み取るのではなく、ＲＦＩＤ（Radio Frequency IDentification）を用いた手法も開示されている（例えば、特許文献１，２参照）。
【０００３】
詳しくは、当該手法では、電子タグ（ＲＦタグ）が各物品に取り付けられている。このＲＦタグには、データの書き換え・追記機能を有するＩＣチップが埋め込まれており、ＲＦタグとリーダ／ライタとの間では非接触の無線通信が行われる。そして、タグをリーダ／ライタで読み取ると、タグのデータを得ることができる。
【０００４】
このように、ＲＦタグを用いれば、仮に、狭い空間に多くのタグが存在する状態（高密度状態）であっても、各タグを認識し、複数のタグのデータを同時に得ることができるし、書き込むこともできる。
さらに、この手法に反射器を用いれば（例えば、特許文献３参照）、ＲＦタグのデータ読取率が向上可能になる。
【０００５】
【特許文献１】特開２００６−２３５９４６号公報
【特許文献２】特開２００３−２５２４０９号公報
【特許文献３】特開２００７−１２９４１６号公報
【発明の開示】
【発明が解決しようとする課題】
【０００６】
ところで、上述した無線通信には、電磁誘導方式、例えば１３．５６ＭＨｚ（短波：ＨＦ帯）の周波数帯による通信方式や、電波方式、例えば９５０ＭＨｚ（極超短波：ＵＨＦ帯）の周波数帯による通信方式がある。
この前者の通信方式によれば、ＨＦ帯のＲＦタグの向きに対する電波の届く範囲が広くなるが、読み取り可能な通信距離は短く、且つ、このＨＦ帯のタグが高価になるため、システム全体が高価になるとの問題がある。
【０００７】
これに対し、後者の通信方式によれば、通信距離が上記ＨＦ帯のタグを用いた場合よりも長くなり、しかも、ＵＨＦ帯のＲＦタグが安価になるので、システム全体が安価で済む。
一方、この通信方式では、ＵＨＦ帯のタグをリーダ／ライタで読み取れない場合がある点に留意しなければならない。
【０００８】
具体的には、当該通信方式では、ＵＨＦ帯のタグの向きに対する電波の届く範囲が上記ＨＦ帯のＲＦタグの向きに対する電波の届く範囲よりも狭くなるし、また、このタグは、アンテナ（ダイポールアンテナ）を搭載し、その本来の通信距離、つまり、上記ＨＦ帯のタグよりも長い通信距離を得るには、９０ｍｍ×２０ｍｍ程度の大きなサイズになる。
【０００９】
ここで、例えば、会社の伝票等が綴じられた複数のファイリング用具等を物品として管理する場合には、小さなサイズのＲＦタグが必要になる。
ファイリング用具に対するタグの取り付け可能な範囲は広くないからであり、さらに、このファイリング用具の如く、比較的狭い領域に密集・整列させて保管する物品の場合には、大きなサイズのタグを用いると、タグ同士の干渉が生ずるからである。
【００１０】
しかしながら、この小さなサイズのＲＦタグを用いると、当該タグのアンテナの長さが短くなり、ＵＨＦ帯による通信方式を採用しているにも拘らず、通信距離が短くなってタグのデータ読取率が低下してしまうのである。
そこで、本発明の目的は、上記課題を解消し、小さなサイズのタグを用いても、各タグのデータを確実に読み取ることができるファイリング用具及び管理システムを提供することである。
【課題を解決するための手段】
【００１１】
上記目的を達成するための第１の発明はファイリング用具である。当該用具は、少なくとも背表紙部、及び背表紙部に連なる表紙部を有する表紙と、表紙部の内面に設置されており、外部通信手段からの電波で非接触通信を行う電子タグと、背表紙部の内面に近接して設置されており、電波を電子タグに向けて指向する反射板とを具備する。
【００１２】
第１の発明によれば、ファイリング用具は、表紙と、電子タグと、反射板とから構成されており、この表紙は、背表紙部、及びこの背表紙部に連なる表紙部を少なくとも有している。そして、電子タグは表紙部の内面に設置され、このタグは外部通信手段との間で非接触通信を行う。
ここで、反射板は背表紙部の内面に近接して設置されており、この反射板は外部通信手段からの電波を電子タグに向けて指向する。このように、ファイリング用具自体が反射板を有し、外部通信手段からの電波を当該用具の内部でタグに向けて指向させるので、従来に比して電子タグのデータ読取率の向上に寄与する。
【００１３】
しかも、仮に、小さなサイズのタグを用いた場合であっても、反射板が電波をタグに向けて改めて指向すれば、この読み取り可能な通信距離の短さも解消可能になる。
第２の発明は、第１の発明の構成において、反射板は、背表紙部の内面に対し、電波を電子タグに指向させるための所定の角度を有して背表紙部に設置されていることを特徴とする。
【００１４】
第２の発明によれば、第１の発明の作用に加えてさらに、反射板は背表紙部の内面に設置されるが、当該反射板は、この背表紙部の内面に対して所定の角度、詳しくは、電波を電子タグに向けて改めて指向させるための角度を有して背表紙部に設置されている。よって、ファイリング用具が並べられた際にも、読み取るためにより有効な電波をタグに指向可能になり、データ読取率が向上する。
【００１５】
第３の発明は、第１や第２の発明の構成において、電子タグは、複数のファイリング用具に１つずつ設置されており、ファイリング用具を表紙の閉じた状態で背表紙部の背幅方向に並べた際に互いに完全に重ならない位置にて表紙部に設置されていることを特徴とする。
第３の発明によれば、第１や第２の発明の作用に加えてさらに、電子タグが、複数のファイリング用具を表紙の閉じた状態で背表紙部の背幅方向に並べた際に、互いに完全に重ならない位置にて表紙部に設置されている。これにより、タグの干渉が軽減されるため、データ読取率がより一層向上する。
【００１６】
第４の発明は、第１から第３の発明のファイリング用具を用いた管理システムであって、外部通信手段は、電波を送受信するアンテナを有しており、アンテナは、電子タグを設置した表紙部に対峙して配置されていることを特徴とする。
第４の発明によれば、第１から第３の発明の作用に加えてさらに、外部通信手段のアンテナが、電子タグを設置した表紙部に対峙して配置されていれば、このアンテナは、ファイリング用具の表紙部に近接した位置にて電波の送受信が可能になるし、また、上述した反射板を介した電波の送受信に加えて、当該アンテナから電子タグへの直接的な電波の送受信も可能になる。この結果、データ読取率が大幅に向上可能になる。
【００１７】
第５の発明は、第４の発明の構成において、システムは、外部通信手段からの電波を表紙部に向けて反射する反射器を有しており、反射器は、電子タグを設置しない表紙部に対峙して配置されていることを特徴とする。
第５の発明によれば、第４の発明の作用に加えてさらに、反射器が、電子タグを設置しない表紙部に対峙して配置されており、この場合にも表紙部に近接した位置にて電波の送受信が可能になる。よって、上述した反射板やアンテナを介した電波の送受信に加えて、反射器から電子タグへの間接的な電波の送受信も可能になるので、データ読取率が大幅に向上する。
【００１８】
第６の発明は、第５の発明の構成において、反射器は、凹凸面部を有していることを特徴とする。
第６の発明によれば、第５の発明の作用に加えてさらに、反射器が凹凸面部を有していることから、反射器から表紙部に向かう電波は広角に反射され、データ読取率のさらなる向上に寄与する。
【００１９】
第７の発明は、第４から第６の発明の構成において、電波は、極超短波の周波数帯であることを特徴とする。
第７の発明によれば、第４から第６の発明の作用に加えてさらに、極超短波による通信方式を用いれば、上述のタグが安価になり、安価なシステムを構築できる。
【発明の効果】
【００２０】
本発明によれば、小さなサイズの電子タグを用いても、各タグのデータを確実に読み取ることができるファイリング用具及び管理システムを提供することができる。
【発明を実施するための最良の形態】
【００２１】
以下、本発明の好適な実施形態について図面を用いて説明する。
図１は、本実施例に係る管理システムの全体構成図であり、当該システム１は、例えばＬＡＮ等のネットワーク４を用いて構成され、このネットワーク４には、複数台の情報処理端末（例えばパーソナルコンピュータ）２や、データベース８を備えたサーバ６がそれぞれ接続されている。
【００２２】
この情報処理端末２は、リーダ／ライタ（外部通信手段）１０に接続されている。本実施例のリーダ／ライタ１０は、例えば９５０ＭＨｚのＵＨＦ帯の電波を送受信するアンテナ１２と、ＲＦタグ（電子タグ）４０，４０・・・との通信を制御する通信制御部とを有しており、これら複数個のＲＦタグ４０が認識可能に構成されている。
【００２３】
本実施例のＲＦタグ４０は、電源を有しないパッシブタイプであり、図２に示されるように、略長方形のシート状に形成され、その長手方向の軸線が電波の進行方向に略直交する方向に沿って所定の物品に取り付けられる。なお、当該タグ４０は、上述した９０ｍｍ×２０ｍｍ程度のサイズよりも小さなサイズで構成される。
【００２４】
このＲＦタグ４０にはＩＣチップ４４が埋め込まれている。当該チップ４４は、メモリへのデータの書き換え・追記機能を有し、さらに、リーダ／ライタ１０との通信機能を有している。
また、このチップ４４はループ状のアンテナ４２に接続され、このアンテナ４２がリーダ／ライタ１０のアンテナ１２との間でＵＨＦ帯の電波を送受信する。
【００２５】
これにより、これらＲＦタグ４０とリーダ／ライタ１０との間では非接触の無線通信が行われ、リーダ／ライタ１０は、複数のタグ４０のデータを同時に取得できるし、書き込むこともできる。
ここで、本実施例のＲＦタグ４０はファイル（ファイリング用具）３０に取り付けられ、このファイル３０の詳細は情報処理端末２で閲覧できる。
【００２６】
詳しくは、図３には計８冊のファイル３０が示されている。各ファイル３０は、その開いた状態で略長方形の表紙３２を備えており（図５）、樹脂製である。また、この表紙３２は、その中央部分に幅狭の背表紙部３４を有し、この背表紙部３４の背幅方向の両側に連なる幅広の表紙部３６，３８を有し、その閉じた状態では略コ字状に形成される。そして、各ファイル３０は、図３に示される如く、表紙３２の閉じた状態で背表紙部３４の背幅方向に、換言すれば、隣り合う各背表紙部３４の高さ同士が当接して並べられる。
【００２７】
そして、各ファイル３０には、例えば、会社の伝票や顧客情報等がそれぞれ綴じられている。つまり、この会社の伝票を綴じたファイル３０には、当該伝票である旨を予め書き込んだＲＦタグ４０が取り付けられ、一方、顧客情報を綴じたファイル３０には、当該情報である旨を予め書き込んだＲＦタグ４０が取り付けられており、これら各ファイル３０はファイル棚２２に保管される（図３）。
【００２８】
本実施例のシステム１では、ファイル棚２２毎にリーダ／ライタ１０のアンテナ１２が設置されている。具体的には、このアンテナ１２の送受信面１４が、背表紙部３４に対峙するのではなく、この棚２２に向かって左側、換言すれば、表紙部３６に対峙して配置される。これに対し、反射器１６は、各ファイル３０の小口側に対峙せず、棚２２に向かって右側、つまり、表紙部３８に対峙して配置されている。なお、アンテナ１２が表紙部３８に、反射器１６が表紙部３６に対峙して配置されていても良い。
【００２９】
この反射器１６は、図４に示される如く、平面部１８及び反射面部２０の２層構造で構成されている。より具体的には、この反射面部２０は、金属を調合した平面形状の導電性フィルムであり、その表面が格子状にエッチング加工されている。一方、平面部１８は平面形状の樹脂製フィルムであり、この平面部１８に反射面部２０が貼付されている。そして、この反射面部２０がファイル３０の表紙部３８に対峙して配置される。
【００３０】
当該ファイル３０は、いわゆる薄型ファイル或いは厚型ファイルと称される用具である。図５に示されるように、背表紙部３４を軸にして表紙部３６，３８を互いに離間させると、樹脂製の綴じ具６０が、背表紙部３４の内面の略中央位置にて、この背表紙部３４の高さ方向に沿って設置されており、上述した会社の伝票や顧客情報等を綴じるために用いられる。なお、特許出願に関する包袋が綴じられていても良く、このＲＦタグには出願電子データ、社内管理番号などが書き込まれる。
【００３１】
ところで、この背表紙部３４の内面において、綴じ具６０を回避した位置には３個の反射フィルム（反射板）５０，５０，５０が設置されている。
詳しくは、本実施例の反射フィルム５０，５０，５０は、背表紙部３４の天側及び地側、並びにこれらの略中間位置にて、背表紙部３４の内面に連接してそれぞれ設けられており、各フィルム５０は、平面形状の斜面部５２及び支持部５４から構成されている。この斜面部５２もまた、上述の反射器１６と同様に、導電性フィルム及び樹脂製フィルムの２層構造である。
【００３２】
一方、支持部５４は背表紙部３４の内面に立設されており、斜面部５２の一端側を下方から支持している。これにより、この斜面部５２は、背表紙部３４の内面に対して０°よりも大きな所定の角度を有し、リーダ／ライタ１０のアンテナ１２からの電波を表紙部３６に向けて改めて指向する。
なお、電波をＲＦタグ４０に指向させる限り、斜面部５２は、リーダ／ライタ１０から反射器１６を経た電波を表紙部３６に向けて改めて指向しても良い。
【００３３】
ここで、本実施例のＲＦタグ４０は、表紙部３６の天側近傍に１個設置されている。
具体的には、ＲＦタグ４０は、表紙部３６の小口側から所定のマージンを取り、このタグ４０の長手方向の軸線が背表紙部３４の上記高さ方向に沿って配置されている。また、当該タグ４０は、表紙部３６の天側からも所定のマージンを取り、背表紙部３４の天側に設けられた反射フィルム５０と略同等の高さに配置される。
【００３４】
このように、ＲＦタグ４０は複数のファイル３０に１つずつ設置される。上述した背表紙部３４の天側に設けられた反射フィルム５０からの電波を利用する場合には、各タグ４０は、このフィルム５０と略同等の高さである限り、各ファイル３０を表紙３２の閉じた状態で背表紙部３４の背幅方向に沿って棚２２に並べた際に互いに完全に重ならない位置で、各表紙部３６に設置することができる（図６）。なお、この完全に重ならない位置とは、各タグ４０の面（詳しくはアンテナ４２）同士が完全に重ならない意であり、これら面同士が部分的に重なる、或いは各タグ４０の外縁の一辺同士が重なっている場合には該当しない。
【００３５】
そして、リーダ／ライタ１０のアンテナ１２から送信された電波は、表紙部３６を透過してＲＦタグ４０に向けて直接的に送信される、又は、表紙部３６，３８等を透過し、反射器１６を経てタグ４０に向けて間接的に送信される他、図７の一点鎖線で示される如く、各表紙部３６を透過し、ファイル３０にそれぞれ備えられた反射フィルム５０の斜面部５２で反射され、各ＲＦタグ４０に向けて改めて指向される。
【００３６】
続いて、この斜面部５２で反射した電波はタグ４０のアンテナ４２で受信され、リーダ／ライタ１０からのリクエスト信号としてＩＣチップ４４に供給される。その後、チップ４４からのアンサー信号はアンテナ４２から、アンテナ１２に向けて直接的に、若しくは、反射器１６、又は反射フィルム５０を経てアンテナ１２に向けて間接的に送信され、リーダ／ライタ１０に供給される。
【００３７】
この結果、情報処理端末２では各ファイル３０の詳細が閲覧可能になる。
なお、本実施例では、上述した背表紙部３４の地側に設けられた反射フィルム５０からの電波や、綴じ具６０に重ねて設けられた反射フィルム５０からの電波も利用可能である。つまり、ＲＦタグ４０を表紙部３６の地側近傍、或いは小口側近傍に１つ設ければ良く（図５にてそれぞれ点線で示す）、この場合にも上記と同様に、アンテナ１２との間で無線通信が可能になる。或いは、上述の反射フィルム５０を背表紙部３４の内面全体に亘って設置しても良く、この場合には、ＲＦタグ４０を表紙部３６のいずれの位置にも設置できる。
【００３８】
ところで、上述した反射フィルムは、いわゆるフラットファイルと称される用具にも適用可能である。すなわち、本発明の背表紙部とは、背表紙部と表紙部との間に配置され、綴じ具を取り付ける部分も含まれる。
より詳しくは、図８に示されたファイル３０Ａの表紙３２は紙製であり、このファイル３０Ａもまた、上記実施例と同様に、その表紙部３６にＲＦタグ４０が設置されている。しかし、この実施例では、背表紙部３４と表紙部３６との間には綴じ具代（背表紙部）３４Ａが形成されており、この綴じ具代３４Ａの表面の略中央位置に、樹脂製の綴じ具６０Ａが背表紙部３４の高さ方向に沿って設置されている。
【００３９】
そして、当該実施例では、綴じ具代３４Ａの裏面において、綴じ具６０Ａを回避した位置に２個の反射フィルム（反射板）５０Ａ，５０Ａが設置されている。これら反射フィルム５０Ａもまた、導電性フィルム及び樹脂製フィルムの２層構造であり、背表紙部３４の内面に対して０°よりも大きな所定の角度を有している。この実施例におけるアンテナ１２からの電波の方向は、上記図７に示された電波の方向とは若干異なるものの、当該アンテナ１２からの電波は、フィルム５０Ａで反射され、表紙部３６に向けて改めて指向される。
なお、このファイル３０Ａでは、反射フィルム５０Ａを綴じ具代３４Ａの表面に設置し、ＲＦタグ４０を表紙部３８に設けても良く、この場合にも、アンテナ１２からの電波は、フィルム５０Ａで反射され、表紙部３８に向けて改めて指向される。
【００４０】
一方、上述した反射器の反射面部は、平面形状の導電性フィルムの他、波形状で構成されていても良い。
より具体的には、図９（ａ）に示される如く、当該実施例の反射器１６Ｂは、平面部１８と、反射面部として機能する凹凸面部、例えば蛇行面部２０Ｂとの２層構造で構成される。この蛇行面部２０Ｂもまた、金属を調合した平面形状の導電性フィルムであり、その表面が格子状にエッチング加工されているが、正弦曲線による規則的な波形状で構成されている。
【００４１】
この点について詳述すると、上述した９５０ＭＨｚの電波は、光に近い反射特性を有しており、蛇行面部２０Ｂに対して斜めの方向から入射された電波は正反射を生じ、この入射角に等しい角度で反射するのである。よって、この特性を利用すれば、同図（ｂ）に示されるように、表紙部３６の様々な位置に配置されたタグ４０に向けて電波を照射できる。
【００４２】
なお、この凹凸のピッチや高さを変更すれば、波形状が容易に変化する。つまり、アンテナ１２の実際の設置位置や、ファイル３０の大きさ等を鑑み、種々の状況に即した反射器を構成できる。
以上のように、本発明は、ＲＦタグの検出機会を増やす点に着目したものである。
【００４３】
そして、本実施例によれば、ファイル３０（３０Ａ）は、表紙３２と、ＲＦタグ４０と、反射フィルム５０（５０Ａ）とから構成されており、この表紙３２は、背表紙部３４（３４Ａ）、及びこの背表紙部３４（３４Ａ）の両側にそれぞれ連なる表紙部３６，３８を有している。そして、タグ４０は表紙部３６の内面に設置され、このタグ４０はリーダ／ライタ１０との間で非接触通信を行う。
【００４４】
ここで、反射フィルム５０（５０Ａ）は背表紙部３４（３４Ａ）に設置されており、このフィルム５０（５０Ａ）はリーダ／ライタ１０からのＵＨＦ帯の電波をタグ４０に向けて指向している。このように、ファイル３０（３０Ａ）自体がフィルム５０（５０Ａ）を有し、リーダ／ライタ１０からの電波を当該ファイル３０（３０Ａ）の内部でタグ４０に向けて改めて指向させるので、ファイル自体に反射板を有していない従来に比して、タグ４０のデータ読取率の向上に寄与する。
【００４５】
しかも、仮に、小さなサイズのＲＦタグ４０を用いた場合であっても、反射フィルム５０（５０Ａ）が電波をタグ４０に向けて改めて指向すれば、この読み取り可能な通信距離の短さも解消可能になる。
さらに、ＵＨＦ帯のＲＦタグ４０を用いれば、ＨＦ帯等のタグよりも安価で済む。
【００４６】
また、このフィルム５０（５０Ａ）は背表紙部３４（３４Ａ）に設置されるが、当該フィルム５０（５０Ａ）は、この背表紙部３４の内面に対して所定の角度、詳しくは、電波をタグ４０に向けて改めて指向させるための角度を有して背表紙部３４（３４Ａ）に設置されている。よって、ファイル３０（３０Ａ）が棚２２に並べられた際にも、タグ４０のデータを読み取るためにより有効な電波をタグ４０に指向可能になり、データ読取率が向上する。
【００４７】
さらに、ＲＦタグ４０が、複数のファイル３０（３０Ａ）を表紙３２の閉じた状態で背表紙部３４の背幅方向に並べた際に、互いに完全に重ならない位置にて表紙部３６に設置されている。これにより、各タグ４０のアンテナ４２の干渉が軽減されるため、データ読取率がより一層向上する。
さらにまた、リーダ／ライタ１０のアンテナ１２が、タグ４０を設置した表紙部３６に対峙して配置されていれば、このアンテナ１２は、ファイル３０（３０Ａ）の表紙部３６に近接した位置にて電波の送受信が可能になる。
【００４８】
すなわち、当該アンテナ１２からタグ４０への直接的な電波の送受信に加えて、上述した反射フィルム５０（５０Ａ）を介した電波の送受信も可能になり、タグ４０の検出機会が１回増える。この結果、データ読取率が大幅に向上可能になる。
また、反射器１６（１６Ｂ）が、タグ４０を設置しない表紙部３８に対峙して配置されており、この場合にも表紙部３８に近接した位置にて電波の送受信が可能になる。
【００４９】
つまり、上述したリーダ／ライタ１０のアンテナ１２を介した電波の送受信や、反射器１６（１６Ｂ）から電子タグへの間接的な電波の送受信に加えて、反射フィルム５０（５０Ａ）を介した電波の送受信も可能になり、タグ４０の検出機会がさらにもう１回増え、計３回になる。したがって、データ読取率が大幅に向上する。
【００５０】
さらに、図９に示される如く、反射器１６Ｂが、正弦曲線による波形状の蛇行面部２０Ｂを有していることから、反射器１６Ｂから表紙部３８に向かう電波は広角に反射され、表紙部３６に配置されたタグ４０のデータ読取率のさらなる向上に寄与する。
さらにまた、ＵＨＦ帯による通信方式を用いれば、このタグが安価になり、安価な管理システム１を構築できる。
【００５１】
本発明は、上記各実施例に限定されず、特許請求の範囲を逸脱しない範囲で種々の変更を行うことができる。
例えば、上記各実施例のファイル３０（３０Ａ）では、綴じ具６０（６０Ａ）を有しているが、必ずしもこの形態に限定されるものではなく、ボックスタイプや、ポケットを有した綴じ具を有しないファイリング用具にも当然に適用できる。また、本発明の反射板は、電波を反射する限り、上述とは異なる材質や加工を施したフィルムであっても良いし、その形状もまた、上記平面形状の他、パラボラ（放物線）形状や波形状等の周知の形状を用いることができる。
【００５２】
詳しくは、図１０に示されたファイル３０Ｂは、綴じ具を省略しているが、その背表紙部３４にはパラボラ形状の反射フィルム５０Ｂが設置され、電波を表紙部３６に設けられたＲＦタグ４０に向けて改めて指向している。より具体的には、このフィルム５０Ｂは、同図（ｂ）に示される如く、ＲＦタグ４０に向けて凹形状をなし、しかも、パラボラ形状の放物面が表紙部３６に向けて傾けられている。つまり、その頂点が背表紙部３４の中央位置に対峙しておらず、この中央位置よりも同図（ｂ）でみて右側に配置されており、単にパラボラ形状のフィルムを設けた場合に比して、電波がタグ４０により指向し易くされている。
【００５３】
また、図１１（ａ）に示されたファイル３０Ｃの如く、パラボラ形状の反射フィルム５０Ｃが、ＲＦタグ４０に向けて凸形状をなし、且つ、パラボラ形状の放物面の裏面がタグ４０を有する表紙部３６に向けて傾けられていても良い。
さらに、上記ボックスタイプのファイル３０Ｄ，３０Ｅは、同図（ｂ）に示されている。
【００５４】
当該ファイル３０Ｄ，３０Ｅは、背表紙部や表紙部の他、底面部も有しており、上述した会社の伝票や顧客情報等が同図の上方から入れて収納することができる。そして、同図の背表紙部３４の外面には、収納内容等が記載可能であり、この背表紙部３４の内面には反射フィルム５０，５０Ｂが設置されている。
【００５５】
具体的には、このファイル３０Ｄでは、上述した背表紙部３４の内面に対して所定の角度をなす反射フィルム５０が背表紙部３４の内面に連接して設けられており、一方、このファイル３０Ｅでは、上述したＲＦタグ４０に向けて凹形状をなし、且つ、パラボラ形状の放物面がタグ４０に向けて傾けられた反射フィルム５０Ｂが、背表紙部３４の内面の近傍に設けられている。そして、いずれのファイル３０Ｄ，３０Ｅも、上記ファイル３０（３０Ａ，３０Ｂ，３０Ｃ）と同様に、電波をＲＦタグ４０に向けて改めて指向できる。
【００５６】
また、上記各実施例ではＵＨＦ帯の電波が用いられている。しかし、本発明の電波はマイクロ波でも良く、また、通信距離の短いＨＦ帯やＬＦ帯（長波）の電波にも適用可能である。
さらに、本発明の電子タグは、上記パッシブタイプの他、電源を有するアクティブタイプでも良い。
【００５７】
そして、これらいずれの場合にも上記と同様に、仮に、小さなサイズのタグを用いたとしても、各タグのデータを確実に読み取ることができるとの効果を奏する。
【図面の簡単な説明】
【００５８】
【図１】本実施例に係る管理システムの全体構成図である。
【図２】図１の電子タグの構成図である。
【図３】図１のシステムにおけるファイル棚の説明図である。
【図４】図３の反射器の説明図である。
【図５】図３のファイルの斜視図である。
【図６】図５のファイルと電子タグとの位置関係の説明図である。
【図７】図５の反射フィルムによる電波の指向状態の説明図である。
【図８】他の実施例におけるファイルの斜視図である。
【図９】さらに他の実施例における反射器の説明図である。
【図１０】さらにまた他の実施例におけるファイルの説明図である。
【図１１】また他の実施例におけるファイルの説明図である。
【符号の説明】
【００５９】
１  管理システム
１０  リーダ／ライタ（外部通信手段）
１２  アンテナ
１６，１６Ｂ  反射器
２０Ｂ  蛇行面部（凹凸面部）
３０，３０Ａ，３０Ｂ，３０Ｃ，３０Ｄ，３０Ｅ  ファイル（ファイリング用具）
３２  表紙
３４，３４Ａ  背表紙部
３６  表紙部
４０  ＲＦタグ（電子タグ）
５０，５０Ａ，５０Ｂ，５０Ｃ  反射フィルム（反射板）
【図１】
2009230308.tif 000003
【図２】
2009230308.tif 000004
【図３】
2009230308.tif 000005
【図４】
2009230308.tif 000006
【図５】
2009230308.tif 000007
【図６】
2009230308.tif 000008
【図７】
2009230308.tif 000009
【図８】
2009230308.tif 000010
【図９】
2009230308.tif 000011
【図１０】
2009230308.tif 000012
【図１１】
2009230308.tif 000013